(57)【特許請求の範囲】
【請求項１】
樹脂製の外装カバーの内面に、該外装カバーとは別体の樹脂製のインナーカバーをスライドさせて取り付ける画像形成装置であって、
前記外装カバーの内面に第１の係合爪と第２の係合爪及び係止ボスを外面側に露出しないように一体に突設し、
前記係止ボスに、前記インナーカバーのスライド方向に高さが高くなるテーパ面を形成し、
前記インナーカバーの取付面に、前記外装カバーの第１及び第２の係合爪が係合する係合溝と係合孔及び係止ボスが嵌合する嵌合孔を形成し、
インナーカバーの係合溝と係合孔に外装カバーの第１及び第２の係合爪を係合させた状態で、インナーカバーを外装カバーの内面に沿ってスライドさせて該インナーカバーの嵌合孔に外装カバーの係止ボスを嵌合させることによってインナーカバーを外装カバーの内面に取り付けることを特徴とする画像形成装置。
【発明の詳細な説明】
【技術分野】
【０００１】
本発明は、樹脂製の外装カバーの内面に該外装カバーとは別体の樹脂製のインナーカバーを取り付けて成る画像形成装置に関するものである。
【背景技術】
【０００２】
電子写真方式によって用紙に画像を形成する複写機やプリンタ等の画像形成装置は、樹脂製の外装カバーによって覆われているが、例えば排紙トレイを兼ねるトップカバーにはジャム処理等のために開閉される開閉カバーが設けられている。そして、この開閉カバーの内面には、該開閉カバーを開けたときに装置本体内部の各種プロセス機器を覆うためのインナーカバーが設けられている。
【特許文献１】特開２００５−０４３６６２号公報
【発明の開示】
【発明が解決しようとする課題】
【０００３】
上記インナーカバーをトップカバーの開閉カバーと一体に成形することは可能であるが、成形金型が大型化してコストアップを招く等の問題がある。
【０００４】
そこで、インナーカバーを開閉カバーとは別体に構成し、このインナーカバーを開閉カバーの内面に取り付ける方法が採られるが、従来はインナーカバーをビス止めによって開閉カバーの内面に取り付けていた。
【０００５】
ところが、上述のように別体のインナーカバーをビス止めによって開閉カバーの内面に取り付ける方法を採用した場合、組み立て時にドライバ等の工具が必要であるとともに、ビスが外部から見えるために外観性が損なわれるという問題がある。
【０００６】
本発明は上記問題に鑑みてなされたもので、その目的とする処は、インナーカバーを工具を用いることなく外装カバーに簡単に取り付けることができるとともに、取付部の外観性低下を防ぐことができる画像形成装置を提供することにある。
【課題を解決するための手段】
【０００７】
上記目的を達成するための本発明は、樹脂製の外装カバーの内面に、該外装カバーとは別体の樹脂製のインナーカバーをスライドさせて取り付ける画像形成装置であって、
前記外装カバーの内面に第１の係合爪と第２の係合爪及び係止ボスを外面側に露出しないように一体に突設し、
前記係止ボスに、前記インナーカバーのスライド方向に高さが高くなるテーパ面を形成し、
前記インナーカバーの取付面に、前記外装カバーの第１及び第２の係合爪が係合する係合溝と係合孔及び係止ボスが嵌合する嵌合孔を形成し、
インナーカバーの係合溝と係合孔に外装カバーの第１及び第２の係合爪を係合させた状態で、インナーカバーを外装カバーの内面に沿ってスライドさせて該インナーカバーの嵌合孔に外装カバーの係止ボスを嵌合させることによってインナーカバーを外装カバーの内面に取り付けることを特徴とする。
【発明の効果】
【０００９】
本発明によれば、インナーカバーの係合溝と係合孔に外装カバーの第１及び第２の係合爪を係合させた状態で、インナーカバーを外装カバーの内面に沿ってスライドさせて該インナーカバーの嵌合孔に外装カバーの係止ボズを嵌合させることによってインナーカバーを工具を用いることなく外装カバーの内面に簡単に取り付けることができる。又、インナーカバーをビス等の締結具を用いることなく外装カバーに取り付けることができるため、締結具が外部に露出して外装カバーの外観性を低下させることがない。
【００１０】
更に、インナーカバーを外装カバーの内面に沿ってスライドさせて該インナーカバーの嵌合孔に外装カバーの係止ボスを嵌合させる際、係止ボズに形成されたテーパ面に沿ってインナーカバーの嵌合孔を容易に嵌合させてインナーカバーを外装カバーに取り付けることができ、インナーカバーの嵌合孔が外装カバーの係止ボスに一旦嵌合した後は該嵌合孔が係止ボスに確実に嵌合するため、インナーカバーが外装カバーに確実に取り付けられて容易に外れることがない。
【発明を実施するための最良の形態】
【００１１】
以下に本発明の実施の形態を添付図面に基づいて説明する。
【００１２】
図１は本発明に係る画像形成装置の斜視図、図２は同画像形成装置の分解斜視図、図３はインナーカバーが取り付けられた開閉カバーを斜め下方から見た斜視図、図４はインナーカバーを取り付ける前の開閉カバーを斜め下方から見た斜視図、図５は図４のＡ部拡大詳細図、図６はインナーカバーの斜視図、図７〜９はインナーカバーの開閉カバーへの取付構造を示す側断面図である。
【００１３】
図１に示す画像形成装置１は、レーザープリンタであって、矩形ボックス状の装置本体２を備えており、この装置本体２の内部には、図２に示すように、本体フレーム３に組み込まれた感光ドラム、帯電器、現像装置、転写装置、定着装置等の各種プロセス機器（何れも不図示）が内蔵されている。そして、装置本体２の前面（図１の手前側を前方とする）は、手差しトレイを兼ねる開閉可能なフロントカバー４で覆われ、左右はサイドカバー５，６で覆われ、後面はリヤカバー７で覆われ、上面はトップカバー８によってそれぞれ覆われている。尚、フロントカバー４、サイドカバー５，６、リヤカバー７及びトップカバー８は何れも樹脂によって一体成形されており、これらは外装カバーを構成している。
【００１４】
ところで、図１に示すように、装置本体２の下部には図２に示す給紙カセット９が着脱可能に装着されており、この給紙カセット９は装置本体２の前面側から着脱される。又、トップカバー８の前面側右隅部には操作パネル１０が装着されている。又、図２に示すように、右側のサイドカバー６には、メンテナンス時に装置本体２の内側にアクセスするための矩形の開口部６ａが形成されており、この開口部６ａはＬ字状に屈曲成形された補助カバー１１によって覆われる。
【００１５】
而して、本実施の形態に係るレーザープリンタ１においては、装置本体２に内蔵された不図示の各種プロセス機器による電子写真プロセスを経て用紙に画像が形成されるが、画像が形成された用紙は前記トップカバー８へと排出されてストックされる。ここで、トップカバー８には、ジャム処理等のメンテナンス時に図１に示すように開くことができる開閉カバー８Ａが設けられており、この開閉カバー８Ａは、その左右がヒンジ１２によって上下に回動可能に支持されている。そして、この開閉カバー８Ａの内面（裏面）には、該開閉カバー８Ａとは別体に構成されたインナーカバー１３が取り付けられており、このインナーカバー１３は、フロントカバー４を開放して動作可能となる手差し給紙部を使用する際に装置本体２内のプロセス部を覆うためのものであって、図７〜図９に示すように円弧曲面状に一体成形されている。
【００１６】
ここで、上記インナーカバー１３の開閉カバー８Ａへの取付構造を図３〜図９に基づいて説明する。
【００１７】
図４に示すように、開閉カバー８Ａの内面の前端縁には左右一対の第１の係合爪８ａが一体に形成されており、同開閉カバー８Ａの内面の前記第１の係合爪８ａの斜め後方には鍵状の左右一対の第２の係合爪８ｂが一体に形成されている。又、開閉カバー８Ａの内面の第１の係合爪８ａと第２の係合爪８ｂの間には左右一対の十字形の係止ボズ８ｃが一体に突設されている。ここで、図５及び図９に示すように、各係止ボス８ｃには前方に向かって（インナーカバー１３の取付時に該インナーカバー１３をスライドさせる方向（図６及び図９の矢印方向））に高さが高くなるテーパ面８ｃ−１が形成されている。
【００１８】
他方、図６に示すように、インナーカバー１３の取付面には、開閉カバー８Ａに形成された前記第１の係合爪１８ａが係合するための左右一対の係合溝１３ａが形成されるとともに、開閉カバー８Ａに形成された前記第２の係合爪８ｂが係合するための矩形の左右一対の係合孔１３ｂが形成されている。又、インナーカバー１３の取付面の左右一対の前記係合孔１３ｂの内側には、開閉カバー８Ａに突設された左右一対の前記係止ボス８ｃが嵌合するための左右一対の嵌合孔１３ｃが形成されている。
【００１９】
而して、インナーカバー１３は以下の要領で開閉カバー８Ａの内面に取り付けられる。
【００２０】
即ち、図７に示すようにインナーカバー１３の係合溝１３ａに開閉カバー８Ａの第１の係合爪８ａを係合させるとともに、図８に示すようにインナーカバー１３の係合孔１３ｂに開閉カバー８Ａの第２の係合爪８ｂを係合させた状態で、インナーカバー１３を開閉カバー８Ａの内面に沿って図６〜図９の矢印方向にスライドさせて該インナーカバー１３の嵌合孔１３ｃに開閉カバー８Ａの係止ボス８ｃを嵌合させることによって、該インナーカバー１３を開閉カバー８Ａの内面に取り付けることができる。このとき、前述のように開閉カバー８Ａの内面に突設された係止ボス８ｃに、インナーカバー１３のスライド方向に高さが高くなるテーパ面８ｃ−１を形成したため（図５及び図９参照）、係止ボス８ｃに形成されたテーパ面８ｃ−１に沿ってインナーカバー１３の嵌合孔１３ｃを容易に嵌合させてインナーカバー１３を開閉カバー８Ａに取り付けることができるとともに、インナーカバー１３の嵌合孔１３ｃが開閉カバー８Ａの係止ボス８ｃに一旦嵌合した後は該嵌合孔１３ｃが係止ボス８ｃに確実に嵌合するため、インナーカバー１３が開閉カバー８Ａに確実に取り付けられて容易に外れることがない。
【００２１】
以上のように、本実施の形態によれば、インナーカバー１３の係合溝１３ａと係合孔１３ｂに開閉カバー８Ａの第１及び第２の係合爪８ａ，８ｂをそれぞれ係合させた状態で、インナーカバー１３を開閉カバー８Ａの内面に沿ってスライドさせて該インナーカバー１３の嵌合孔１３ｃに開閉カバー８Ａの係止ボス８ｃを嵌合させることによってインナーカバー１３を工具を用いることなく開閉カバー８Ａの内面に簡単に取り付けることができる。
【００２２】
又、インナーカバー１３をビス等の締結具を用いることなく開閉カバー８Ａに取り付けることができるため、ビス等の締結具が外部に露出して開閉カバー８Ａの外観性を低下させることがない。
【００２３】
尚、以上は本発明をレーザープリンタに適用した形態について説明したが、本発明は、プリンタの他、複写機やファクシミリ等の他の画像形成装置に対しても同様に適用可能であることは勿論である。
【図面の簡単な説明】
【００２４】
【図１】本発明に係る画像形成装置の斜視図である。
【図２】本発明に係る画像形成装置の分解斜視図である。
【図３】本発明に係る画像形成装置のインナーカバーが取り付けられた開閉カバーを斜め下方から見た斜視図である。
【図４】本発明に係る画像形成装置のインナーカバーを取り付ける前の開閉カバーを斜め下方から見た斜視図である。
【図５】図４のＡ部拡大詳細図である。
【図６】本発明に係る画像形成装置のインナーカバーの斜視図である。
【図７】本発明に係る画像形成装置のインナーカバーの開閉カバーへの取付構造を示す側断面図である。
【図８】本発明に係る画像形成装置のインナーカバーの開閉カバーへの取付構造を示す側断面図である。
【図９】本発明に係る画像形成装置のインナーカバーの開閉カバーへの取付構造を示す側断面図である。
【符号の説明】
【００２５】
１        画像形成装置
２        装置本体
３        本体フレーム
４        フロントカバー
５，６    サイドカバー
６ａ      サイドカバーの開口部
７        リヤカバー
８        トップカバー
８Ａ      開閉カバー（外装カバー）
８ａ      開閉カバーの第１の係合爪
８ｂ      開閉カバーの第２の係合爪
８ｃ      開閉カバーの係止ボス
８ｃ−１  係止ボスのテーパ面
９        給紙カセット
１０      操作パネル
１１      補助カバー
１２      ヒンジ
１３      インナーカバー
１３ａ    インナーカバーの係合溝
１３ｂ    インナーカバーの係合孔
１３ｃ    インナーカバーの嵌合孔
【図１】
0005209974.tif 000002
【図２】
0005209974.tif 000003
【図３】
0005209974.tif 000004
【図４】
0005209974.tif 000005
【図５】
0005209974.tif 000006
【図６】
0005209974.tif 000007
【図７】
0005209974.tif 000008
【図８】
0005209974.tif 000009
【図９】
0005209974.tif 000010